(57)【特許請求の範囲】
【請求項１】
支持シートと、前記支持シート上に接着層を介して配達票と荷札とに分離可能に区画された伝票用紙が貼付され、前記配達票だけが前記接着層から剥離可能になるように前記配達票の裏面に剥離補助層あるいは接着剤遮断層が設けられ、更に前記支持シートの裏面側に粘着層と該粘着層を被覆する剥離紙が重ね合わされている配送伝票において、前記伝票用紙のうち、配達票の設けられた側の伝票用紙の先端側をプリンターの搬送方向とし、前記伝票用紙の先端側の支持シート上に表出部分が表われるように前記伝票用紙の搬送方向の寸法を支持シートの寸法よりも短く形成したことを特徴とする配送伝票。
【請求項２】
前記伝票用紙のうち、配達票の設けられた側の伝票用紙の先端側の角部に、コーナーカットが形成されていることを特徴とする請求項１記載の配送伝票。
【発明の詳細な説明】
【０００１】
【発明の属する技術分野】
本発明は、宅配荷物等の配送品に貼付して使用する配送伝票であって、特にラベル方式の配送伝票に関する。
【０００２】
【従来の技術】
従来、例えば通信販売等においては、商品の購入申し込み者へ商品を配送する場合に、配送品に貼付することができる配送伝票を用いることが一般的に行われている。
【０００３】
これらの配送伝票は、特にお届け先の住所や氏名等を手書きにより記入するのに適する複写可能な複数枚の伝票構成からなる配送伝票と、お届け先の住所や氏名等の情報をプリンターにより印字出力するのに適する、１枚からなる伝票用紙を支持シートと共に配送物に貼付し、伝票用紙の一部からなる配達票に受領印の捺印を受け、支持シートから配達票だけを剥離することができる構成を有するラベル方式の配送伝票とが知られている。
【０００４】
上記の１枚のラベル方式の配送伝票としては、例えば、支持シートと、前記支持シート上に粘着層を介して、配達票と荷札とに分離可能に区画された伝票用紙が貼付され、前記支持シートの裏面側に粘着層と該粘着層を被覆する剥離紙とが重ね合わされ、更に前記配達票が前記粘着層から剥離可能に形成されている配送伝票が既に知られている。
【０００５】
このようなラベル方式の配送伝票は、プリンターで配送伝票に印字する際に、プリンター内に搬送された配送伝票の先端部分がプリンター内の部品等に引っ掛かかるなどで、思わぬことで伝票用紙がめくれ上がってジャムリを発生させるトラブルが起こる危険性があるなどの問題がある。
【０００６】
【発明が解決しようとする課題】
本発明は、ラベル方式の配送伝票をプリンターで印字する際において、プリンター内に搬送された配送伝票の先端部分がプリンター内の部品等に引っ掛かかるなどして、伝票用紙がめくれ上がることを防止し、プリンター内でのジャムリの原因を少なくした配送伝票を提供する。
【０００７】
【課題を解決するための手段】
本発明は以下の各態様によって上記の目的を達成した。
即ち、本発明にかかる第１の態様は、
支持シート（２）と、
前記支持シート（２）上に接着層（３）を介して配達票（４ａ）と荷札（４ｂ）とに分離可能に区画された伝票用紙（４）が貼付され、
前記配達票（４ａ）だけが前記接着層（３）から剥離可能になるように前記配達票（４ａ）の裏面に剥離補助層あるいは接着剤遮断層が設けられ、
更に前記支持シート（２）の裏面側に粘着層（５）と該粘着層（５）を被覆する剥離紙（６）が重ね合わされている配送伝票において、
前記伝票用紙（４）のうち、配達票（４ａ）の設けられた側の伝票用紙の先端側をプリンターの搬送方向とし、
前記伝票用紙の先端側の支持シート（２）上に表出部分（１１）が表われるように前記伝票用紙（４）の搬送方向の寸法を支持シート（２）の寸法よりも短く形成した
ことを特徴とする配送伝票である。
【０００８】
また、本発明にかかる第２の態様は、前記第１の態様において、前記伝票用紙（４）のうち、配達票（４ａ）の設けられた側の伝票用紙の先端側の角部に、コーナーカット（１３ａ，１３ｂ）が形成されていることを特徴とする配送伝票である。
【０００９】
【発明の実施の形態】
以下、本発明の配送伝票について、図面に基づき詳細に説明する。
図１は、本発明の第１実施形態に係る配送伝票の平面図、図２は、図１のＡ−Ａ線断面図、図３は、本発明の第１実施形態に係る配送伝票を配送物に貼付した後、配達票を剥離した状態を示す断面図、図４は、本発明の第２実施形態に係る配送伝票の平面図である。
【００１０】
本発明の第１実施形態に係る配送伝票を図１乃至図３に基づいて説明する。
第１実施形態に係る配送伝票１Ａは、支持シート２と、この支持シート２上に接着層３を介して、配達票４ａと荷札４ｂとに分離可能に区画された伝票用紙４が貼付されている。
【００１１】
伝票用紙４の略中央付近に形成されたスリット７により、伝票用紙４が配達票４ａと荷札４ｂとに分割されている。
また、スリット７の代わりに切り取りミシンを形成することにより、配達票４ａと荷札４ｂとに分離可能に区画してもよい。
【００１２】
配達票４ａは、その表面にお届け先及び依頼主等の記載欄９ａと受領印欄１０が表示されていて、配送物を受取人に届けた際に、配達票４ａだけを剥離して配送者が持ち帰る伝票となる。
また、荷札４ｂは、その表面にお届け先及び依頼主等の記載欄９ｂが表示されていて、配送物に貼付した状態でそのまま受取人に渡される伝票となる。
【００１３】
そして、配達票４ａ及び荷札４ｂの表面に表示されたお届け先及び依頼主等の記載欄９ａ，９ｂへ必要事項を記入する際に、依頼者がリピーターの顧客である場合には、予め個人情報データベースに登録されている個人情報に基づいて、プリンタにより印字出力することで表示する場合が多い。
【００１４】
支持シート２は、上質紙等の天然紙、合成紙、樹脂シートなどを使用することができる。
また、伝票用紙４としては、上質紙等の天然紙、合成紙、樹脂シートなどを使用することができる。
接着層３は、ウレタン系やポリエステル系などの熱可塑性樹脂からなる接着剤を塗布して形成することができ、更に、配達票４ａを接着層３からの剥離を確実にするために、配達票４ａの裏面に、ＵＶ硬化型樹脂などからなる剥離補助層を形成してもよい。
【００１５】
更に、支持シート２の裏面側には、粘着層５とこの粘着層５を被覆する剥離紙６が重ね合わされ、剥離紙６を剥離することで粘着層５により配送物に貼付可能に構成されている。
剥離紙６は、天然紙、合成紙、樹脂シートなどの基材の表面に、シリコーンなどの剥離剤を塗布して剥離性を持たせたものを使用することができる。
【００１６】
また、配達票４ａの裏面には、接着層３で接着された後に支持シート２から配達票４ａを剥離することができるようにする為に、印刷インキを用いた網印刷による接着剤遮断層８が形成されている。
接着剤遮断層８は、必要に応じて接着層３の表面に配達票４ａと略同じ大きさで、印刷インキを用いた網印刷による接着剤遮断層を形成するようにしてもよい。
また、接着剤遮断層８の代わりに、配達票４ａを接着層３から剥離することが可能な公知の剥離層を適宜設けるようにしてもよい。
【００１７】
本発明の配送伝票１Ａは、配達票４ａ及び荷札４ｂの表面に表示されたお届け先及び依頼主等の記載欄９ａ，９ｂに対して、必要事項をプリンターで印字する場合に、プリンターに配送伝票１Ａを送り込んで搬送させる配送伝票１Ａの先端側における伝票用紙４の幅寸法を、支持シート２の幅寸法よりも短く形成してある。
【００１８】
つまり、図１及び図２に示した第１実施形態の例では、配送伝票１Ａを左側の方向、つまりプリンタ搬送方向Ｙの方向に送り込むものとする。
したがって、伝票用紙４の配達票４ａの左側の部分が支持シート２の幅寸法よりも短く形成してあるため、支持シート２上の一部に伝票用紙４が重なっていない表出部分１１ができ、段差が生じるようにしてある。
【００１９】
この支持シート２の表出部分１１ができ段差が生じるようにしてあるので、配送伝票１Ａをプリンタに送り込んで搬送させた場合でも、配送伝票１Ａの搬送方向に対し、伝票用紙４の先端部が支持シート２よりも後方に貼付された状態で搬送されてくるので、伝票用紙４の先端部が引っかかり、めくれ上がることを予防することができる。
伝票用紙４の幅寸法に対して支持シート２の幅寸法を短く形成する場合の寸法は、適宜定めればよいが、約３〜１０ｍｍ程度が伝票設計上好ましい。
【００２０】
そして、図３に示すように、配送伝票１Ａに対してプリンタで必要事項を印字出力後、配送物１２に貼付して配送し、受取人に配送物１２を届けた際に配送伝票１Ａから配達票４ａを剥離して受領印の押印を受けて、配達票４ａだけを配送者が持ち帰ることで配送処理を行なうものである。
【００２１】
次に、本発明の第２実施形態に係る配送伝票を図４に基づいて説明する。
第２実施形態に係る配送伝票１Ｂは、第１実施形態に係る配送伝票１Ａと同様の積層構造を有しているので、積層構造の説明は省略する。
【００２２】
配送伝票１Ｂは、支持シート２と、この支持シート２上に接着層を介して、配達票４ｃと荷札４ｄとに分離可能に区画された伝票用紙４が貼付されているが、プリンターに配送伝票１Ｂを送り込んで搬送させる配送伝票１Ｂの先端側における伝票用紙４の幅寸法を、支持シート２の幅寸法よりも短く形成して、支持シート２上の一部に伝票用紙４が重なっていない表出部分１１を設けると共に、支持シート２の幅寸法よりも短く形成された側の伝票用紙４の角部に、各々コーナーカット１３ａ，１３ｂが形成されているものである。
【００２３】
図４においては、配送伝票１Ｂのプリンタ搬送方向Ｙを左側方向とした場合を示しているので、伝票用紙４の配達票４ｃの左側に位置する２箇所の角部が切り欠かれて各々コーナーカット１３ａ，１３ｂが形成されている。
これにより、支持シート２の幅寸法よりも短く形成された伝票用紙４により形成された部分と、更に伝票用紙４の角部に形成された各々コーナーカット１３ａ，１３ｂとにより、プリンタ搬送方向Ｙに対して先端部分に位置する支持シート２上に伝票用紙４が重なっていない表出部分１１が形成される。
【００２４】
これにより、配送伝票１Ｂをプリンタで搬送させた場合に、配送伝票１Ｂの搬送方向に対し、伝票用紙４の先端部と先端角部とが支持シート２よりも後方に貼付された状態で搬送されてくるので、伝票用紙４の先端部が引っかかり、めくれ上がる危険性が少なくなるものである。
また、めくれの危険性を更に少なくするためコーナーカット１３ａ，１３ｂの角に丸みをもたせてもよい。
【００２５】
また、上記各実施形態では、伝票用紙４の配達票４ａ側をプリンタの搬送方向としたが、本発明は、プリンタの搬送方向に対する伝票用紙の先端側が伝票用紙の天地方向にくる場合には、伝票用紙を支持シートの天地寸法よりも短く形成し、更に伝票用紙の天地側の角部にコーナーカットを設ければよく、実施形態に限定されるものではない。
【００２６】
【発明の効果】
以上のように、本発明の配送伝票の配達票（４ａ）及び荷札（４ｂ）の表面にプリンタにより印字出力する場合、プリンター内に搬送された配送伝票の先端部分が配達票（４ａ）側であっても当該先端部がプリンター内の部品等に引っ掛かかるなどして、伝票用紙がめくれ上がることを防止することができるという効果がある。
【図面の簡単な説明】
【図１】本発明の第１実施形態に係る配送伝票の平面図である。
【図２】図１のＡ−Ａ線断面図である。
【図３】本発明の第１実施形態に係る配送伝票を配送物に貼付した後、配達票を剥離した状態を示す断面図である。
【図４】本発明の第２実施形態に係る配送伝票の平面図である。
【符号の説明】
１Ａ  第１実施形態に係る配送伝票
１Ｂ  第２実施形態に係る配送伝票
２  支持シート
３  接着層
４ａ，４ｃ  配達票
４ｂ，４ｄ  荷札
５  粘着層
６  剥離紙
７  スリット
８  接着剤遮断層
９ａ，９ｂ  記載欄
１０  受領印欄
１１  表出部分
１２  配送物
１３ａ，１３ｂ  コーナーカット
【図１】
0004413468.tif 000002
【図２】
0004413468.tif 000003
【図３】
0004413468.tif 000004
【図４】
0004413468.tif 000005